(57)【要約】【課題】アンテナによる損失を低減して低電力化を図るとともに、複数の通信システムの信号のアイソレーションを向上させることが可能なアンテナスイッチモジュールを提供する。【解決手段】本発明は、異なる複数の通信システムのそれぞれに対応する送信回路および受信回路とアンテナとの間における信号経路を切り換えるスイッチング回路の少なくとも一部を、複数の絶縁層と複数の導体層とを交互に積層してなる多層基板に形成したアンテナスイッチモジュールである。前記多層基板の端子面上に設けられた複数の端子に含まれ、通過帯域が異なる複数のアンテナに接続される複数のアンテナ端子と、それぞれの前記アンテナ端子に接続される複数の前記スイッチング回路と、を備える。【選択図】図１
2008118486.tif 000002
【特許請求の範囲】
【請求項１】
異なる複数の通信システムのそれぞれに対応する送信回路および受信回路とアンテナとの間における信号経路を切り換えるスイッチング回路の少なくとも一部を、複数の絶縁層と複数の導体層とを交互に積層してなる多層基板に形成したアンテナスイッチモジュールであって、
前記多層基板の端子面上に設けられた複数の端子に含まれ、通過帯域が異なる複数のアンテナに接続される複数のアンテナ端子と、
それぞれの前記アンテナ端子に接続される複数の前記スイッチング回路と、
を備えるアンテナスイッチモジュール。
【請求項２】
請求項１に記載のアンテナスイッチモジュールにおいて、
前記複数のアンテナ端子は、前記端子面上に並んで配置されており、
前記アンテナ端子同士は、隣接配置されるか、または、グランド端子を間に挟んで配置されることを特徴とするアンテナスイッチモジュール。
【請求項３】
請求項１に記載のアンテナスイッチモジュールにおいて、
前記複数の端子には複数の受信信号出力端子が含まれており、
前記複数の受信信号出力端子は、前記端子面上に並んで配置されており、
前記受信信号出力端子同士は、隣接配置されるか、または、グランド端子を間に挟んで配置されることを特徴とするアンテナスイッチモジュール。
【請求項４】
請求項３に記載のアンテナスイッチモジュールにおいて、
前記受信出力端子同士は全て隣接配置されることを特徴とするアンテナスイッチモジュール。
【請求項５】
請求項１に記載のアンテナスイッチモジュールにおいて、
前記複数の端子には複数の送信信号入力端子が含まれており、
前記複数の送信信号入力端子は、前記端子面上に並んで配置されており、
前記送信信号入力端子同士は、隣接配置されるか、または、グランド端子を間に挟んで配置されることを特徴とするアンテナスイッチモジュール。
【請求項６】
請求項１に記載のアンテナスイッチモジュールにおいて、
前記複数の端子には複数の受信信号出力端子が含まれており、
前記アンテナ端子と前記受信信号出力端子とが並んで配置される場合には、前記アンテナ端子と前記受信信号出力端子との間にグランド端子が配置されることを特徴とするアンテナスイッチモジュール。
【請求項７】
請求項１に記載のアンテナスイッチモジュールにおいて、
前記複数の端子には複数の送信信号入力端子が含まれており、
前記アンテナ端子と前記送信信号入力端子とが並んで配置される場合には、前記アンテナ端子と前記送信信号入力端子との間にグランド端子が配置されることを特徴とするアンテナスイッチモジュール。
【請求項８】
請求項１記載のアンテナスイッチモジュールにおいて、
前記複数の端子には複数の送信信号入力端子および複数の受信信号出力端子が含まれており、
前記送信信号入力端子と前記受信信号出力端子とが並んで配置される場合には、前記送信信号入力端子と前記受信信号出力端子との間にグランド端子が配置されることを特徴とするアンテナスイッチモジュール。
【発明の詳細な説明】
【技術分野】
【０００１】
本発明は、例えば、携帯電話などに用いられ、周波数帯域の異なる複数の送信信号及び受信信号を切り換えるためのアンテナスイッチモジュールに関するものである。
【背景技術】
【０００２】
アンテナスイッチモジュールとしては、例えば、下記の特許文献１に記載の例のように、アンテナ端子に接続され、少なくとも受信信号を低周波数帯域と高周波数帯域に分波する第１分波回路と、その第１分波回路に接続され、受信信号と送信信号とを切り換えるとともに、受信信号をさらに細かい周波数帯域に分波する複数のスイッチング回路と、を備えているものが知られている。
【０００３】
しかしながら、上記した従来のアンテナスイッチモジュールでは、共通のアンテナで、低周波数帯域から高周波数帯域までの広帯域に亘る複数の通信システムの全てにおける信号の送受信を行うこととなる。
【０００４】
【特許文献１】特開２０００−１６５２７４号公報
【発明の開示】
【発明が解決しようとする課題】
【０００５】
しかしながら、共通のアンテナで、上記したような広帯域に亘る複数の通信システムの全ての信号の送信および受信を、損失なく行なわせることは難しく、この損失を補うためには信号出力を大きくする必要があった。また、上記従来のアンテナスイッチモジュールでは、１つのアンテナで受信する信号を、第１分波回路で低周波数側の信号と高周波数側の信号とに分波してはいるものの、あくまでも、共通のアンテナで受信する広帯域の信号を電気回路で（のフィルタの機能を使って）分波しているにすぎず、低周波数側の信号と高周波数側の信号とのアイソレーションが不十分となる場合もある。
【０００６】
従って、本発明の目的は、上記した従来技術の問題点を解決し、アンテナによる損失を低減して低電力化を図るとともに、複数の通信システムの信号のアイソレーションを向上させることが可能なアンテナスイッチモジュールを提供することにある。
【課題を解決するための手段】
【０００７】
上記した目的の少なくとも一部を達成するために、本発明のアンテナスイッチモジュールは、異なる複数の通信システムのそれぞれに対応する送信回路および受信回路とアンテナとの間における信号経路を切り換えるスイッチング回路の少なくとも一部を、複数の絶縁層と複数の導体層とを交互に積層してなる多層基板に形成したアンテナスイッチモジュールであって、
端子面上に設けられた複数の端子に含まれ、通過帯域が異なる複数のアンテナに接続される複数のアンテナ端子と、
前記アンテナ端子ごとにそれぞれ対応して設けられ、対応する前記アンテナ端子から入力される受信信号と対応する前記アンテナ端子へ出力する送信信号との切り換えを行うための複数のアンテナスイッチ回路と、
を備えることを特徴とする。
【０００８】
上記構成のアンテナスイッチモジュールによれば、従来のように広帯域に亘る複数の通信システムの全ての信号を共通のアンテナで送信および受信するのではなく、複数のアンテナのうち、それぞれの通信システムの送信および受信する信号の周波数帯域に対応する通過帯域を有するアンテナを用いて送信および受信することができる。これにより、従来のように共通のアンテナを用いていた場合に比べて、アンテナにおける損失を低減し、ひいては低電力化を図ることができるとともに、送信および受信される複数の周波数帯域の信号のアイソレーションを向上させることが可能である。
【０００９】
本発明のアンテナスイッチモジュールにおいて、
前記複数のアンテナ端子は、前記端子面上に並んで配置されており、
前記アンテナ端子同士は、隣接配置されるか、または、グランド端子を間に挟んで配置されることが好ましい。
【００１０】
このように複数のアンテナ端子が端子面上に順に並べて配置され、アンテナ端子同士が隣接配置されることによって、アンテナ端子から他の端子への信号の漏れを抑制させることができるので、アンテナスイッチモジュールの性能を向上させることができる。また、アンテナ端子同士がグランド端子を間に挟んで配置されることによって、アンテナ端子間における信号の漏れを抑制させることができるので、アンテナスイッチモジュールの性能を向上させることができる。
【００１１】
本発明のアンテナスイッチモジュールにおいて、
前記複数の端子には複数の受信信号出力端子が含まれており、
前記複数の受信信号出力端子は、前記端子面上に並んで配置されており、
前記受信信号出力端子同士は、隣接配置されるか、または、グランド端子を間に挟んで配置されることも好ましい。
【００１２】
また、前記受信端子同士は全て隣接配置されることも好ましい。
【００１３】
このように、複数の受信信号出力端子が端子面上に並んで配置され、特に、受信端子同士が全て隣接配置されることには、アンテナスイッチモジュールに接続される部品の配置や両者間を接続する配線のレイアウトに都合が良い。また、受信信号出力端子から他の端子への信号の漏れを抑制させることができるので、アンテナスイッチモジュールの性能を向上させることができる。また、受信信号出力端子同士がグランド端子を間に挟んで配置されることによって、受信信号出力端子間における信号の漏れを抑制させることができるので、アンテナスイッチモジュールの性能を向上させることができる。
【００１４】
本発明のアンテナスイッチモジュールにおいて、
前記複数の端子には複数の送信信号入力端子が含まれており、
前記複数の送信信号入力端子は、前記端子面上に並んで配置されており、
前記送信信号入力端子同士は、隣接配置されるか、または、グランド端子を間に挟んで配置されることも好ましい。
【００１５】
このように複数の送信信号入力端子が、端子面上に並んで配置されることは、アンテナスイッチモジュールに接続される部品の配置や両者間を接続する配線のレイアウトに都合が良い。また、送信信号入力端子から他の端子への信号の漏れを抑制させることができるので、アンテナスイッチモジュールの性能を向上させることができる。また、送信信号入力端子同士がグランド端子を間に挟んで配置されることにより、送信信号入力端子間における信号の漏れを抑制させることができるので、アンテナスイッチモジュールの性能を向上させることができる。
【００１６】
本発明のアンテナスイッチモジュールにおいて、
前記複数の端子には複数の受信信号出力端子が含まれており、
前記アンテナ端子と前記受信信号出力端子とが並んで配置される場合には、前記アンテナ端子と前記受信信号出力端子との間にグランド端子が配置されることも好ましい。
【００１７】
このように、アンテナ端子と受信信号出力端子とが並んで配置される場合において、アンテナ端子と受信信号出力端子との間にグランド端子を配置することによって、アンテナ端子と受信信号出力端子との間における信号の漏れを抑制させることができるので、アンテナスイッチモジュールの性能を向上させることができる。
【００１８】
本発明のアンテナスイッチモジュールにおいて、
前記複数の端子には複数の送信信号入力端子が含まれており、
前記アンテナ端子と前記送信信号入力端子とが並んで配置される場合には、前記アンテナ端子と前記送信信号入力端子との間にグランド端子が配置されることも好ましい。
【００１９】
このように、アンテナ端子と送信信号入力端子とが並んで配置される場合において、アンテナ端子と送信信号入力端子との間にグランド端子を配置することによって、アンテナ端子と送信入力端子との間における信号の漏れを抑制させることができるので、アンテナスイッチモジュールの性能を向上させることができる。
【００２０】
本発明のアンテナスイッチモジュールにおいて、
前記複数の端子には複数の送信信号入力端子および複数の受信信号出力端子が含まれており、
前記送信信号入力端子と前記受信信号出力端子とが並んで配置される場合には、前記送信信号入力端子と前記受信信号出力端子との間にグランド端子が配置されることも好ましい。
【００２１】
このように、送信信号入力端子と受信信号出力端子とが並んで配置される場合において、送信信号入力端子と受信信号出力端子との間にグランド端子を配置することによって、送信信号入力端子から受信信号出力端子への信号の漏れを抑制させることができるので、アンテナスイッチモジュールの性能を向上させることができる。
【００２２】
なお、本発明は、上記したアンテナスイッチモジュールの態様に限ることなく、アンテナスイッチ装置の態様で実現することも可能である。
【発明を実施するための最良の形態】
【００２３】
以下、本発明の実施の形態を実施例に基づいて以下の順序で説明する。
Ａ．実施例：
Ｂ．変形例：
【００２４】
Ａ．実施例：
図１は本発明の一実施例としてのアンテナスイッチモジュールの回路図であり、図２は図１のアンテナスイッチモジュールの外観を示す斜視図である。
【００２５】
図１に示すように、本実施例のアンテナスイッチモジュール１００は、低周波数帯域用アンテナスイッチ回路１１０と、高周波数帯域用アンテナスイッチ回路１２０と、を備えている。
【００２６】
低周波数帯域用アンテナスイッチ回路１１０は、低周波数帯域用のアンテナ端子ＡＮＴ／Ｌｏに接続されるカップリングコンデンサ１１２と、そのカップリングコンデンサ１１２に接続されるスイッチング回路１１４と、スイッチング回路１１４に接続される分波回路１１６と、同じくスイッチング回路１１４に接続されるローパスフィルタ１１８と、を備えている。
【００２７】
また、高周波数帯域用アンテナスイッチ回路１２０は、高周波数帯域用のアンテナ端子ＡＮＴ／Ｈｉに接続されるカップリングコンデンサ１２２と、そのカップリングコンデンサ１２２に接続されるスイッチング回路１２４と、スイッチング回路１２４に接続される分波回路１２６と、同じくスイッチング回路１２４に接続されるローパスフィルタ１２８と、を備えている。
【００２８】
図２に示すように、このアンテナスイッチモジュール１００は、絶縁層であるセラミックと導体層とで構成される多層基板９２から成る積層体９４を備え、多層基板９２（積層体９４）上に金属製のキャップ９８が取り付けられている。上記各回路をそれぞれ構成する素子のうち、一部の素子は、表層（実装面）にチップ部品９６として実装され、残りの素子は、導体層として積層体９４内に内層される。また、アンテナ端子、送信信号入力端子、受信信号出力端子、コントロール端子は積層体の裏層（端子面）に形成されている（図示しない）。
【００２９】
このアンテナスイッチモジュール１００は、携帯電話に搭載されるアンテナスイッチ装置であって、低周波数帯域に区分されるＧＳＭ８５０，ＧＳＭ９００と高周波数帯域に区分されるＤＣＳ，ＰＣＳの４つの通信システムに対応している。各通信システムの送信信号及び受信信号の周波数帯域は、表１に示すとおりである。
【表１】
2008118486.tif 000003
【００３０】
図１の低周波数帯域用アンテナスイッチ回路１１０において、低周波数帯域用のアンテナ端子ＡＮＴ／Ｌｏは、低周波数帯域用のアンテナ（図示せず）からの受信信号を入力すると共に、送信信号をアンテナに対して出力する。
【００３１】
スイッチング回路１１４は、送信信号入力端子ＴＸ＿１／ＧＳＭ８５０／９００および受信信号出力端子ＲＸ＿１／ＧＳＭ８５０もしくは受信信号出力端子ＲＸ＿２／ＧＳＭ９００と、低周波数帯域用のアンテナ端子ＡＮＴ／Ｌｏとの間の信号経路を切り換えるための切り換え回路である。コントロール端子ＶＣ１に直流電圧を印加していない場合には、スイッチング回路１１４内の２つのダイオード１１４ａ，１１４ｂがそれぞれオフ状態となっているため、アンテナからカップリングコンデンサ１１２を介して得られる低い周波数の受信信号（ＧＳＭ８５０，ＧＳＭ９００の受信信号）は、スイッチング回路１１４によって分波回路１１６に送られる。なお、このとき、共振回路１１４ｃは、ＧＳＭ８５０，ＧＭ９００の周波数帯域の信号を通過させ、それ以上の周波数帯域の信号については阻止するローパスフィルタとして機能する。また、コントロール端子ＶＣ１に直流電圧を印加した場合には、スイッチング回路１１４内の２つのダイオード１１４ａ，１１４ｂがそれぞれオン状態となり、共振回路１１４ｃが共振し低周波数帯域用のアンテナ端子ＡＮＴ／Ｌｏ側から見たインピーダンスが大きく見えるので、分波回路１１６が実効的に開放状態となる。これにより、送信信号入力端子ＴＸ＿１／ＧＳＭ８５０／９００からローパスフィルタ１１８を介して入力される低い周波数の送信信号（ＧＳＭ８５０，ＧＳＭ９００の送信信号）は、スイッチング回路１１４によって、カップリングコンデンサ１１２を介して低周波数帯域用のアンテナに送られる。なお、ローパスフィルタ１１８は、ＧＳＭ８５０，ＧＭ９００の周波数帯域の信号を通過させ、それ以上の周波数帯域の信号については阻止するフィルタである。
【００３２】
分波回路１１６は、１つの整合回路１１６ａと、１つのＳＡＷフィルタ１１６ｅと、を備えている。スイッチング回路１１４からの信号線は、整合回路１１６ａに接続され、その整合回路１１６ａからの信号線が、分岐点１１６ｄで２分岐されて、各々、ＳＡＷフィルタ１１６ｅに接続されている。ＳＡＷフィルタ１１０ｅからの２組の信号線の一方は１組の受信信号出力端子ＲＸ＿１／ＧＳＭ８５０に、他方は１組の受信信号出力端子ＲＸ＿２／ＧＳＭ９００に、接続されている。
【００３３】
このうち、整合回路１１６ａは、スイッチング回路１１４と分岐点１１６ｄとの間に接続されるコンデンサ１１６ｂと、分岐点１１６ｄ及びコンデンサ１１６ｂ間の信号線とグランド（ＧＮＤ）との間に接続されるインダクタ１１６ｃと、で構成されている。
【００３４】
従って、前述したとおり、スイッチング回路１１４において、コントロール端子ＶＣ１に直流電圧を印加していない場合に、低周波数帯域用のアンテナからカップリングコンデンサ１１２を介して得られる低い周波数の受信信号（ＧＳＭ８５０，ＧＳＭ９００の受信信号）が、スイッチング回路１１４によって分波回路１１６に送られると、その受信信号は、整合回路１１６ａを介した後、分岐点１１６ｄで２分岐されて、ＳＡＷフィルタ１１６ｅにそれぞれ入力される。整合回路１１６ａでは、ＧＳＭ８５０，ＧＳＭ９００の受信信号について、信号漏れが少なくなるように、インピーダンス整合を行っている。
【００３５】
ＳＡＷフィルタ１１６ｅは、ＧＳＭ８５０の受信信号の周波数帯域を通過帯域とするフィルタと、ＧＳＭ９００の受信信号の周波数帯域を通過帯域とするフィルタと、を含んでおり、一方のフィルタは、ＧＳＭ８５０，ＧＳＭ９００の受信信号のうち、ＧＳＭ８５０の受信信号のみを通過させ、受信信号出力端子ＲＸ＿１／ＧＳＭ８５０より出力させ、他方のフィルタは、ＧＳＭ８５０，ＧＳＭ９００の受信信号のうち、ＧＳＭ９００の受信信号のみを通過させ、受信信号出力端子ＲＸ＿２／ＧＳＭ９００より出力させる。
【００３６】
また、図２の高周波数帯域用アンテナスイッチ回路１２０においても、低周波数帯域用アンテナスイッチ回路１１０と同様に、高周波数帯域用のアンテナ端子ＡＮＴ／Ｈｉは、高周波数帯域用のアンテナ（図示せず）からの受信信号を入力すると共に、送信信号をアンテナに対して出力する。
【００３７】
スイッチング回路１２４は、送信信号入力端子ＴＸ＿２／ＤＣＳ／ＰＣＳおよび受信信号出力端子ＲＸ＿３／ＤＣＳもしくは受信信号出力端子ＲＸ＿４／ＰＣＳと、高周波数帯域用のアンテナ端子ＡＮＴ／Ｈｉとの間の信号経路を切り換えるための切り換え回路である。コントロール端子ＶＣ２に直流電圧を印加していない場合には、スイッチング回路１２４内の２つのダイオード１２４ａ，１２４ｂがそれぞれオフ状態となっているため、アンテナからカップリングコンデンサ１２２を介して得られる高い周波数の受信信号（ＤＣＳ，ＰＣＳの受信信号）は、スイッチング回路１２４によって分波回路１２６に送られる。なお、このとき、共振回路１２４ｃは、ＤＣＳ，ＰＣＳの周波数帯域の信号を通過させ、それ以上の周波数帯域の信号については阻止するローパスフィルタとして機能する。また、コントロール端子ＶＣ２に直流電圧を印加した場合には、スイッチング回路１２４内の２つのダイオード１２４ａ，１２４ｂがそれぞれオン状態となり、共振回路１１４が共振し高周波数帯域用のアンテナ端子ＡＮＴ／Ｈｉ側から見たインピーダンスが大きく見えるので、分波回路１２６が実行的に開放状態となる。これにより、送信信号入力端子ＴＸ＿２／ＤＣＳ／ＰＣＳからローパスフィルタ１２８を介して入力される高い周波数の送信信号（ＤＣＳ，ＰＣＳの送信信号）は、スイッチング回路１２４によって、カップリングコンデンサ１２２を介して高周波数帯域用のアンテナに送られる。なお、ローパスフィルタ１２８は、ＤＣＳ，ＰＣＳの周波数帯域の信号を通過させ、それ以上の周波数帯域の信号については阻止するフィルタである。
【００３８】
分波回路１２６は、低周波数帯域用アンテナスイッチ回路１１０の分波回路１１６と同様に、１つの整合回路１２６ａと、１つのＳＡＷフィルタ１２６ｅと、を備えている。スイッチング回路１２４からの信号線は、整合回路１２６ａに接続され、その整合回路１２６ａからの信号線がＳＡＷフィルタ１２６ｅに接続されている。ＳＡＷフィルタ１２６ｅからの２組の信号線の一方は受信信号出力端子ＲＸ＿３／ＤＣＳに、他方は受信信号出力端子ＲＸ＿４／ＰＣＳに、接続されている。
【００３９】
このうち、整合回路１２６ａは、低周波数帯域用アンテナスイッチ回路１１０に含まれる分波回路１１６の整合回路１１６ａと同様に、スイッチング回路１２４とＳＡＷ１２６ｅとの間に接続されるコンデンサ１２６ｂと、ＳＡＷ１２６ｅと及びコンデンサ１２６ｂ間の信号線とグランド（ＧＮＤ）との間に接続されるインダクタ１２６ｃと、で構成されている。
【００４０】
従って、前述したとおり、スイッチング回路１２４において、コントロール端子ＶＣ２に直流電圧を印加していない場合に、高周波数帯域用のアンテナからカップリングコンデンサ１２２を介して得られる高い周波数の受信信号（ＤＣＳ，ＰＣＳの受信信号）が、スイッチング回路１２４によって分波回路１２６に送られると、その受信信号は、整合回路１２６ａを介した後、ＳＡＷフィルタ１２６ｅに入力される。整合回路１２６ａでは、ＤＣＳ，ＰＣＳの受信信号について、信号漏れが少なくなるように、インピーダンス整合を行っている。ＳＡＷフィルタ１２６ｅは、ＤＣＳの受信信号の周波数帯域を通過帯域とするフィルタと、ＰＣＳの受信信号の周波数帯域を通過帯域とするフィルタと、を含んでおり、一方のフィルタは、ＤＣＳ，ＰＣＳの受信信号のうち、ＤＣＳの受信信号のみを通過させ、受信信号出力端子ＲＸ＿３／ＤＣＳより出力させ、他方のフィルタは、ＤＣＳ，ＰＣＳの受信信号のうち、ＰＣＳの受信信号のみを通過させ、受信信号出力端子ＲＸ＿４／ＰＣＳより出力させる。
【００４１】
なお、スイッチング回路１１４の２つのダイオード１１４ａ，１１４ｂやスイッチング回路１２４の２つのダイオード１２４ａ，１２４ｂとしては、ＰＩＮダイオード等の種々のダイオードを用いることができる。
【００４２】
以上説明した上記回路構成のアンテナスイッチモジュールでは、従来のように広帯域に亘る周波数帯域の４つの通信システムＧＳＭ８５０，ＧＳＭ９００，ＤＣＳ，ＰＣＳの信号を共通のアンテナで送信および受信するのではなく、低周波数帯域側の通信システムＧＳＭ８５０，ＧＳＭ９００の信号は低周波数帯域用のアンテナを用いて送信および受信し、高周波数帯域側の通信システムＤＣＳ，ＰＣＳの信号は高周波数帯域用のアンテナを用いて送信および受信することができる。これにより、従来のように共通のアンテナを用いていた場合に発生していた、アンテナにおける損失を低減して低電力化を図ることができるとともに、高周波数帯域側の信号と低周波数帯域側の信号とのアイソレーションを向上させることが可能である。
【００４３】
図３は図２に示す積層体９４の裏層（端子面）における端子の配置の一例を示した説明図である。
【００４４】
図３において、端子面の周辺部には端子番号（１）〜（１８）の各端子が配置されており、端子面の中心には端子番号（１９），（２０）の２つの大きな端子が配置されている。
【００４５】
端子番号（１６），（１）〜（６），（７）は受信信号出力端子であり、端子番号（１６），（１）は１対のＤＣＳの受信信号出力端子ＲＸ＿３／ＤＣＳ（ＲＸ＿３（１）／ＤＣＳ，ＲＸ＿３（２）／ＤＣＳ）に、端子番号（２），（３）は１対のＰＣＳの受信信号出力端子ＲＸ＿４／ＰＣＳ（ＲＸ＿４（１）／ＰＣＳ，ＲＸ＿４（２）／ＰＣＳ）に、端子番号（４），（５）は１対のＧＳＭ９００の受信信号出力端子ＲＸ＿２／ＧＳＭ９００（ＲＸ＿２（１）／ＧＳＭ９００，ＲＸ＿２（２）／ＧＳＭ９００）に、端子番号（６），（７）は１対のＧＳＭ８５０の受信信号出力端子ＲＸ＿１／ＧＳＭ８５０（ＲＸ＿１（１）／ＧＳＭ８５０，ＲＸ＿１（２）／ＧＳＭ８５０）に割り当てられている。端子番号（８），（１０）はアンテナ端子であり、端子番号（８）は低周波数帯域用のアンテナ端子ＡＮＴ／Ｌｏに、端子番号（１０）は高周波数帯域用のアンテナ端子ＡＮＴ／Ｈｉに割り当てられている。端子番号（１２），（１３）は送信信号入力端子であり、端子番号（１２）は高周波数帯域側の信号（ＤＣＳ，ＰＣＳの信号）の送信信号入力端子ＴＸ＿２／ＤＣＳ／ＰＣＳに、端子番号（１３）は低周波数帯域側の信号（ＧＳＭ８５０，ＧＳＭ９００の信号）の送信信号入力端子ＴＸ＿１／ＧＳＭ８５０／ＧＳＭ９００に割り当てられている。端子番号（１４），（１５）はコントロール端子であり、端子番号（１４）は低周波数帯域用アンテナスイッチ回路１１０のコントロール端子ＶＣ１に、端子番号（１５）は高周波数帯域用アンテナスイッチ回路１２０のコントロール端子ＶＣ２に割り当てられている。端子番号（９），（１１），（１７）〜（２０）はグランド（ＧＮＤ）端子に割り当てられている。なお、以下では、信号端子ごとに特に区別する必要が無い場合には、受信信号出力端子は「受信信号出力端子ＲＸ」と表し、送信信号入力端子は「送信信号入力端子ＴＸ」と表し、アンテナ端子は「アンテナ端子ＡＮＴ」と表し、コントロール端子は「コントロール端子ＶＣ」と表すこととする。
【００４６】
ここで、上記した端子配置には以下で説明する特徴が有り、それらの特徴によって以下で説明する効果がある。
【００４７】
端子番号（８），（１０）の２つのアンテナ端子ＡＮＴは、端子番号（９）のＧＮＤ端子を間に挟んで隣り合うように配置されている。２つのアンテナは、省スペース化や実装および配線レイアウトの面から、通常、アンテナスイッチモジュールに対して同一方向にまとまって実装配置されることが好ましい。従って、実施例のように、２つのアンテナ端子ＡＮＴが隣り合うように配置されていれば、アンテナの配置および配線レイアウトに都合が良い。また、２つのアンテナ端子ＡＮＴをＧＮＤ端子を挟んで隣り合うように配置すれば、これにより、アンテナ端子ＡＮＴ同士のアイソレーション効果をより高めることができ、アンテナ端子ＡＮＴ間における信号漏れの影響を抑制することができる。なお、アンテナ端子ＡＮＴの間に配置するＧＮＤ端子の数は１つに限定されるものではなく、２つ以上のＧＮＤ端子をアンテナ端子ＡＮＴの間に配置するようにしてもよい。すなわち、アンテナ端子ＡＮＴは、隣接して配置されるか、１つ以上のＧＮＤ端子を間に挟んで配置されるようにすればよい。
【００４８】
端子番号（８）のアンテナ端子ＡＮＴと端子番号（７）の受信信号出力端子ＲＸとの間には、端子番号（１７）のＧＮＤ端子が配置されている。これにより、アンテナ端子ＡＮＴと受信信号出力端子ＲＸとの間の信号漏れを抑制することができる。なお、アンテナ端子ＡＮＴと受信信号出力端子ＲＸとの間に配置するＧＮＤ端子の数は１つに限定されるものではなく、２つ以上のＧＮＤ端子をアンテナ端子ＡＮＴと受信信号出力端子ＲＸとの間に配置するようにしてもよい。すなわち、アンテナ端子ＡＮＴと受信信号出力端子ＲＸとは、１つ以上のＧＮＤ端子を間に挟んで配置されるようにすればよい。
【００４９】
端子番号（１０）のアンテナ端子ＡＮＴと端子番号（１２）の送信信号入力端子ＴＸとの間には、端子番号（１１）のＧＮＤ端子が配置されている。これにより、アンテナ端子ＡＮＴと送信信号入力端子ＴＸとの間の信号漏れを抑制することができる。なお、アンテナ端子ＡＮＴと送信信号入力端子ＴＸとの間に配置するＧＮＤ端子の数は１つに限定されるものではなく、２つ以上のＧＮＤ端子をアンテナ端子ＡＮＴと送信信号入力端子ＴＸとの間に配置するようにしてもよい。すなわち、アンテナ端子ＡＮＴと送信信号入力端子ＴＸとは、１つ以上のＧＮＤ端子を間に挟んで配置されるようにすればよい。
【００５０】
端子番号（１６），（１）〜（６），（７）の受信信号出力端子ＲＸは、全て隣接配置されている。受信信号出力端子ＲＸが接続される受信回路を構成する部品は、省スペース化や実装および配線レイアウトの面から、通常、アンテナスイッチモジュールに対して同一方向にまとまって実装配置されることが好ましい。従って、実施例のように、受信信号出力端子ＲＸの全てが隣接配置されていれば、アンテナスイッチモジュールを利用する装置を構成する部品の配置および配線レイアウトに都合が良い。
【００５１】
また、受信信号出力端子ＲＸに送信信号入力端子やアンテナ端子、コントロール端子等の異なる種類の端子が隣接配置されると、互いの端子を伝送する信号間に信号漏れが発生し、悪影響を及ぼす可能性がある。しかしながら、実施例のように、全ての受信信号出力端子ＲＸが隣接配置されていれば、異なる種類の信号漏れが発生して、受信信号に対して悪影響を及ぼし、あるいは、受信信号が異なる種類の信号に対して悪影響を及ぼすことを抑制することが可能となる。
【００５２】
また、順に並んで配置されている受信信号出力端子ＲＸのうち端に配置されている端子番号（１６），（７）の受信信号出力端子ＲＸのように、端子番号（１８），（１７）のＧＮＤ端子が隣接配置されていれば、異なる種類の端子から受信信号出力端子ＲＸへの信号漏れを抑制し、あるいは、受信信号出力端子ＲＸから異なる種類の端子への信号漏れを抑制することが可能となる。
【００５３】
なお、受信信号出力端子ＲＸ同士における信号漏れは、それぞれの信号に対して設けられるフィルタで除去可能であり、その影響は比較的小さくなるため、基本的には、受信信号出力端子ＲＸの間にＧＮＤ端子を配置する必要性は低い。しかしながら、信号漏れが発生しないわけでは無いので、受信信号出力端子ＲＸの間にＧＮＤ端子を配置して、受信信号出力端子ＲＸ間における信号漏れを抑制するようにしてもよい。なお、受信信号出力端子ＲＸの間に配置するＧＮＤ端子の数は１つに限定されるものではなく、２つ以上のＧＮＤ端子を受信信号出力端子ＲＸの間に配置するようにしてもよい。
【００５４】
以上説明したように、受信信号出力端子ＲＸは、隣接して配置されるか、１つ以上のＧＮＤ端子を間に挟んで配置されるようにすればよい。
【００５５】
端子番号（１２），（１３）の２つの送信信号入力端子ＴＸは、互いに隣接配置されている。送信信号入力端子ＴＸが接続される送信回路を構成する部品は、省スペース化や実装および配線レイアウトの面から、通常、アンテナスイッチモジュールに対して同一方向にまとまって実装配置されることが好ましい。従って、実施例のように、送信信号入力端子ＴＸの全てが隣接配置されているほうが、アンテナスイッチモジュールに接続される部品の配置や両者間を接続する配線のレイアウトに都合が良い。なお、２つの送信信号入力端子ＴＸの間に、１つ以上のＧＮＤ端子を配置するようにしてもよい。すなわち、送信信号入力端子ＴＸは、隣接して配置されるか、１つ以上のＧＮＤ端子を間に挟んで配置されるようにすればよい。
【００５６】
また、送信信号とは異なる種類の信号の端子が送信信号入力端子ＴＸに隣接配置されると、他の端子への信号漏れの影響が大きく発生し、その端子を伝送する信号に対して悪影響を及ぼす可能性が高い。しかしながら、実施例のように、２つの送信信号入力端子ＴＸが隣接配置されていれば、異なる種類の信号端子が２つの送信信号入力端子ＴＸに挟まれていないので、送信信号の信号漏れによる悪影響を抑制することが可能となる。
【００５７】
なお、本実施例の端子配置では送信信号入力端子ＴＸと受信信号出力端子ＲＸとが隣り合うように配置される状態は存在していないが、仮に、受信信号出力端子ＲＸと送信信号入力端子ＴＸとを隣り合うように配置する場合には、上記受信信号出力端子ＲＸとアンテナ端子ＡＮＴとの間にＧＮＤ端子を配置している場合と同様に、隣接して配置されないように、２つの端子の間に少なくともＧＮＤ端子を配置することが好ましい。なお、送信信号入力端子ＴＸと受信信号出力端子ＲＸとの間に配置するＧＮＤ端子の数は１つに限定されるものではなく、２つ以上のＧＮＤ端子を挟んで配置されるようにすればよい。
【００５８】
また、コントロール信号ＶＣは、送信信号がアンテナから送信される場合に直流電源が印加される端子であるので、送信信号入力端子ＴＸとコントロール端子ＶＣとの間の信号漏れによる影響は小さいと言える。そこで、端子番号（１３）の送信信号端子ＴＸと端子番号（１４）のコントロール端子ＶＣのように隣接して配置しても問題は無い。但し、送信信号端子ＴＸとコントロール端子ＶＣとの間に１つ以上のＧＮＤ端子を配置するようにしてもよい。
【００５９】
なお、各信号端子の間にＧＮＤ端子を配置して、各信号端子間における信号漏れの影響を抑制するようにしてもよい。
【００６０】
Ｂ．変形例：
なお、本発明は上記した実施例や実施形態に限られるものではなく、その要旨を逸脱しない範囲において種々の態様にて実施することが可能である。
【００６１】
上記した実施例においては、分波回路１１６は、ＳＡＷフィルタとして、ＧＳＭ８５０用のフィルタおよびＧＳＭ９００用のフィルタを含み、スイッチング回路１１４からの受信信号をそれぞれのフィルタに入力するための入力端子を別々に有する構成のＳＡＷフィルタ１１６ｅを用いた場合を例に説明したが、１つの入力端子を有し、内部で分岐して、それぞれのフィルタに受信信号を入力する構成のＳＡＷフィルタを用いてもよく、また、ＧＳＭ８５０用のフィルタおよびＧＳＭ９００用のフィルタとして、それぞれ別々のＳＡＷフィルタを用いてもよい。
【００６２】
上記した実施例においては、分波回路１２６は、ＳＡＷフィルタとして、ＤＣＳ用のフィルタおよびＰＣＳ用のフィルタを含み、スイッチング回路１２４からの受信信号を入力する１つの入力端子を有し、受信信号を内部で分岐して、ＤＣＳ用のフィルタおよびＰＣＳ用のフィルタに受信信号を入力する構成のＳＡＷフィルタ１２６ｅを用いた場合を例に説明したが、低周波数帯域用アンテナスイッチ回路１１０に含まれる分波回路１１６と同様に、２つの入力端子を有する構成のＳＡＷフィルタを用いてもよく、また、ＤＣＳ用のフィルタおよびＰＣＳ用のフィルタとして、それぞれ別々のＳＡＷフィルタを用いてもよい。
【００６３】
上記した実施例においては、スイッチング回路としてダイオードを用いたスイッチング回路を用いた場合を例に説明しているが、これに限定されるものではなく、半導体スイッチを用いたスイッチング回路を利用するようにしてもよい。
【００６４】
上記した実施例においては、分波回路では、受信信号を２つの通信システムに対応する信号に分波する場合を例に説明しているが、３つ以上の通信システムに対応する信号に分波するようにしてもよい。この場合には、分波回路を構成するＳＡＷフィルタを、通信システムの数に対応する数設けるようにすればよい。
【００６５】
上記した実施例においては、低周波数帯域側のアンテナ端子および高周波数帯域側のアンテナ端子の２つのアンテナ端子を有し、それぞれのアンテナ端子に接続される低周波数帯域用アンテナスイッチ回路および高周波数帯域用アンテナスイッチ回路を備える構成のアンテナスイッチモジュールを例に説明したが、これに限定されるものではなく、２以上の複数のアンテナ端子を有し、それぞれのアンテナ端子に接続される複数の周波数帯域用アンテナスイッチ回路を備える構成のアンテナスイッチモジュールであってもよい。
【００６６】
上記した実施例においては、アンテナスイッチモジュールは、携帯電話に搭載されるものとして説明したが、本発明はこれに限定されるものではなく、他の通信装置に搭載するようにしてもよい。
【図面の簡単な説明】
【００６７】
【図１】本発明の一実施例としてのアンテナスイッチモジュールの回路図である。
【図２】図１のアンテナスイッチモジュールの外観を示す斜視図である。
【図３】図２に示す積層体９４の裏層（端子面）における端子の配置の一例を示した説明図である。
【符号の説明】
【００６８】
９２…多層基板
９４…積層体
９６…チップ部品
９８…金属製キャップ
１００…アンテナスイッチモジュール
１１０…低周波数帯域用アンテナスイッチ回路
１１２…カップリングコンデンサ
１１４…スイッチング回路
１１４ａ…ダイオード
１１４ｂ…ダイオード
１１４ｃ…共振回路
１１６…分波回路
１１６ａ…整合回路
１１６ｂ…コンデンサ
１１６ｃ…インダクタ
１１６ｄ…分岐点
１１６ｅ…ＳＡＷフィルタ
１１８…ローパスフィルタ
１２０…高周波数帯域用アンテナスイッチ回路
１２２…カップリングコンデンサ
１２４…スイッチング回路
１２４ａ…ダイオード
１２４ｂ…ダイオード
１２４ｃ…共振回路
１２６…分波回路
１２６ａ…整合回路
１２６ｂ…コンデンサ
１２６ｃ…インダクタ
１２６ｅ…ＳＡＷフィルタ
１２８…ローパスフィルタ
ＡＮＴ…アンテナ端子
ＡＮＴ／Ｌｏ…アンテナ端子
ＡＮＴ／Ｈｉ…アンテナ端子
ＴＸ…送信信号入力端子
ＴＸ＿１／ＧＳＭ８５０／９００…送信信号入力端子
ＴＸ＿２／ＤＣＳ／ＰＣＳ…送信信号入力端子
ＲＸ…受信信号出力端子
ＲＸ＿１／ＧＳＭ８５０…受信信号出力端子
ＲＸ＿２／ＧＳＭ９００…受信信号出力端子
ＲＸ＿３／ＤＣＳ…受信信号出力端子
ＲＸ＿４／ＰＣＳ…受信信号出力端子
ＶＣ…コントロール端子
ＶＣ１…コントロール端子
ＶＣ２…コントロール端子
ＧＮＤ…グランド（グランド端子）
【図１】
2008118486.tif 000004
【図２】
2008118486.tif 000005
【図３】
2008118486.tif 000006